(57)【要約】【課題】基板サイズ及びその額縁サイズを縮小できるとともに、配線抵抗を低減することが可能な配線基板及びこの配線基板を備えた表示装置を提供することを目的とする。【解決手段】  基板上に配列された複数の配線Ｗを有する配線エリアＷＰと、外部機器と接続するための複数の接続パッドＰが配線Ｗの配列方向Ａに沿って並んだパッド群ＰＧを有する接続エリアＣＡと、配線Ｗのそれぞれの端部Ｔと対応する接続パッドＰとを繋ぐ接続配線ＣＷと、を備え、接続エリアＣＡは、第１パッド群ＰＧ１と、第１パッド群ＰＧ１よりも配線エリアＷＰから離れた第２パッド群ＰＧ２とを備え、第２パッド群ＰＧ２を構成する接続パッドＰ（２ｎ）は、多角形状であり、その１つの角部が配線エリアＷＰを向くように配置されたことを特徴とする。【選択図】      図２
2005309201.tif 000002
【特許請求の範囲】
【請求項１】
基板上に配列された複数の配線を有する配線エリアと、
外部機器と接続するための複数の接続パッドが前記配線の配列方向に沿って並んだパッド群を有する接続エリアと、
前記配線のそれぞれの端部と対応する前記接続パッドとを繋ぐ接続配線と、を備え、
前記接続エリアは、第１パッド群と、前記第１パッド群よりも前記配線エリアから離れた第２パッド群とを備え、
前記第２パッド群を構成する前記接続パッドは、多角形状であり、その１つの角部が前記配線エリアを向くように配置されたことを特徴とする配線基板。
【請求項２】
前記第２パッド群を構成する前記接続パッドは、前記配線エリアを向く角部から引き出された前記接続配線によって前記配線の端部と接続されたことを特徴とする請求項１に記載の配線基板。
【請求項３】
前記第１パッド群を構成する前記接続パッドは、多角形状であり、その１つの角部が前記配線エリアを向くように配置されたことを特徴とする請求項１に記載の配線基板。
【請求項４】
前記第１パッド群を構成する前記接続パッドと、前記第２パッド群を構成する前記接続パッドとが同一形状であることを特徴とする請求項３に記載の配線基板。
【請求項５】
前記第２パッド群を構成する前記接続パッドの前記配線エリアを向く角部は、前記第１パッド群を構成する隣接する２つの前記接続パッドのそれぞれの１辺の間に配置されたことを特徴とする請求項３に記載の配線基板。
【請求項６】
前記第２パッド群を構成する前記接続パッドの前記配線エリアを向く角部を規定する２辺は、前記第１パッド群を構成する隣接する２つの前記接続パッドのそれぞれの１辺と平行に配置されたことを特徴とする請求項３に記載の配線基板。
【請求項７】
アレイ基板を備えた表示装置であって、
前記アレイ基板は、
マトリクス状に配置された複数の画素、及び、画素の行方向及び列方向にそれぞれ配列された複数の配線を有する配線エリアと、
外部機器と接続するための複数の接続パッドが前記配線の配列方向に沿って並んだパッド群を有する接続エリアと、
前記配線のそれぞれの端部と対応する前記接続パッドとを繋ぐ接続配線と、を備え、
前記接続エリアは、第１パッド群と、前記第１パッド群よりも前記配線エリアから離れた第２パッド群とを備え、
前記第２パッド群を構成する前記接続パッドは、多角形状であり、その１つの角部が前記配線エリアを向くように配置されたことを特徴とする表示装置。
【請求項８】
前記外部機器は、前記配線に映像信号を供給するための駆動ＩＣチップであることを特徴とする請求項７に記載の表示装置。
【請求項９】
前記外部機器は、前記配線に走査信号を供給するための駆動ＩＣチップであることを特徴とする請求項７に記載の表示装置。
【請求項１０】
前記外部機器は、フレキシブル配線基板であることを特徴とする請求項７に記載の表示装置。
【発明の詳細な説明】
【技術分野】
【０００１】
この発明は、配線基板及びこれを備えた表示装置に係り、特に、基板上に外部機器を接続するための接続パッドの形状に関する。
【背景技術】
【０００２】
配線基板を構成する石英やガラスなどの絶縁基板上に、外部機器として例えば駆動ＩＣチップを直接実装するいわゆるチップオングラス（ＣＯＧ）技術が提案されている。
【０００３】
例えば、アクティブマトリクス型表示装置に適用されるアレイ基板は、マトリクス状に配置された画素の行方向に複数の走査線を備え、また、画素の列方向に複数の信号線を備えている。これら走査線や信号線などの各種配線は、それぞれの端部が接続配線を介して駆動ＩＣチップを接続するための接続パッドに接続されている。
【０００４】
接続パッドは、駆動ＩＣチップの大きさの制約などから配線端部の間隔よりも密に配置される。このため、接続パッドと配線端部とを接続する接続配線の一部は、行方向及び列方向に対して斜め方向に引き回されることになる。１個の駆動ＩＣチップとの接続数が増える（接続パッド数が増える）ほど、また、基板上の配線数が増えるほど、斜め方向に引き回される接続配線数が多くなり、しかも、隣接する接続配線間の間隔も狭くなる。
【０００５】
例えば、矩形状のパッド及びパッドを千鳥配列する技術が提案されている（例えば、特許文献１参照。）。この提案によれば、入出力パッドが引き出し配線に直接接続され、基板端側に配置された予備入出力パッドが枝配線を介して引き出し配線に接続されているが、このようなレイアウトは、基板上の小さな面積に多数の接続パッドを配置するのに有効である。
【０００６】
しかしながら、このようなレイアウトでは、基板端側に配置されたパッドから引き出された接続配線は、隣接したパッドを避けるために、駆動ＩＣチップを実装する箇所のエッジ辺りまで行方向または列方向に沿って直線的に引き出した後、斜め方向に引き回される。接続配線の数が多くなるほど、直線的に引き出される部分の配線長が長くなる。
【０００７】
このため、各種配先端部から接続パッドまでの間隔が長くなり、基板の額縁サイズが必要以上に拡大してしまう。また、配線長が長くなることにより、外部機器から供給された信号が配線抵抗によって劣化してしまう。
【特許文献１】特開２００１−２６５２４４号公報
【発明の開示】
【発明が解決しようとする課題】
【０００８】
この発明は、上述した問題点に鑑みなされたものであって、その目的は、基板サイズ及びその額縁サイズを縮小できるとともに、配線抵抗を低減することが可能な配線基板及びこの配線基板を備えた表示装置を提供することにある。
【課題を解決するための手段】
【０００９】
この発明の第１の様態による配線基板は、
基板上に配列された複数の配線を有する配線エリアと、
外部機器と接続するための複数の接続パッドが前記配線の配列方向に沿って並んだパッド群を有する接続エリアと、
前記配線のそれぞれの端部と対応する前記接続パッドとを繋ぐ接続配線と、を備え、
前記接続エリアは、第１パッド群と、前記第１パッド群よりも前記配線エリアから離れた第２パッド群とを備え、
前記第２パッド群を構成する前記接続パッドは、多角形状であり、その１つの角部が前記配線エリアを向くように配置されたことを特徴とする。
【００１０】
この発明の第２の様態による表示装置は、
アレイ基板を備えた表示装置であって、
前記アレイ基板は、
マトリクス状に配置された複数の画素、及び、画素の行方向及び列方向にそれぞれ配列された複数の配線を有する配線エリアと、
外部機器と接続するための複数の接続パッドが前記配線の配列方向に沿って並んだパッド群を有する接続エリアと、
前記配線のそれぞれの端部と対応する前記接続パッドとを繋ぐ接続配線と、を備え、
前記接続エリアは、第１パッド群と、前記第１パッド群よりも前記配線エリアから離れた第２パッド群とを備え、
前記第２パッド群を構成する前記接続パッドは、多角形状であり、その１つの角部が前記配線エリアを向くように配置されたことを特徴とする。
【発明の効果】
【００１１】
この発明によれば、基板サイズ及びその額縁サイズを縮小できるとともに、配線抵抗を低減することが可能な配線基板及びこの配線基板を備えた表示装置を提供するができる。
【発明を実施するための最良の形態】
【００１２】
以下、この発明の一実施の形態に係る配線基板及びこの配線基板を備えた表示装置について図面を参照して説明する。なお、この実施の形態では、配線基板として、表示装置に適用されるアレイ基板を例に説明する。また、表示装置として、アクティブマトリクス型液晶表示装置を例に説明する。
【００１３】
図１に示すように、液晶表示装置は、液晶表示パネルＬＰＮを備えている。この液晶表示パネルＬＰＮは、アレイ基板ＡＲと、アレイ基板ＡＲと互いに対向して配置された対向基板ＣＴと、これらアレイ基板ＡＲと対向基板ＣＴとの間に保持された液晶層ＬＱと、を備えて構成されている。
【００１４】
このような液晶表示装置は、画像を表示する表示部ＤＳＰにおいて、ｍ×ｎ個のマトリクス状に配置された複数の画素ＰＸを備えている。
【００１５】
アレイ基板ＡＲは、表示部ＤＳＰを含む配線エリアＷＰにおいて、各画素ＰＸの行に沿ってそれぞれ延在されたｎ本の走査線Ｙ（Ｙ１〜Ｙｎ）、各画素ＰＸの列に沿って延在されたｍ本の信号線Ｘ（Ｘ１〜Ｘｍ）、各々対応走査線Ｙ及び対応信号線Ｘの交差位置近傍において画素毎にそれぞれ配置されたｍ×ｎ個のスイッチング素子すなわち薄膜トランジスタＳＷ、画素毎に配置され薄膜トランジスタＳＷを介して対応信号線Ｘに接続されたｍ×ｎ個の画素電極ＥＰ、液晶容量ＣＬＣと並列に各々補助容量ＣＳを構成するよう対応行の画素電極ＥＰに容量結合してｎ本の走査線Ｙと略平行に形成された補助容量線ＡＹなどを備えている。
【００１６】
薄膜トランジスタＳＷは、例えばＮチャネル型薄膜トランジスタであり、ポリシリコン膜あるいはアモルファスシリコン膜によって形成された半導体層を有している。薄膜トランジスタＳＷのゲート電極ＳＷＧは、１本の走査線Ｙに接続されている。薄膜トランジスタＳＷのソース電極ＳＷＳは、１個の画素電極ＥＰに接続されているとともに、半導体層のソース領域にコンタクトしている。薄膜トランジスタＳＷのドレイン電極ＳＷＤは、１本の信号線Ｘに接続されているとともに、半導体層のドレイン領域にコンタクトしている。
【００１７】
画素電極ＥＰは、アルミニウムなどの光反射性を有する金属材料や、インジウム・ティン・オキサイド（ＩＴＯ）などの光透過性を有する金属材料によって形成されている。各画素ＰＸの画素電極ＥＰは、すべて配向膜によって覆われている。
【００１８】
一方、対向基板ＣＴは、表示部ＤＳＰにおいて、単一の対向電極ＥＴなどを備えている。対向電極ＥＴは、すべての画素ＰＸに対応して画素電極ＥＰに対向するように配置されている。この対向電極ＥＴは、インジウム・ティン・オキサイド（ＩＴＯ）などの光透過性を有する金属材料によって形成されている。また、この対向電極ＥＴは、配向膜によって覆われている。
【００１９】
このような対向基板ＣＴと、上述したようなアレイ基板ＡＲとをそれぞれの配向膜を対向して配置したとき、両者の間の図示しないスペーサにより、所定のギャップが形成される。液晶層ＬＱは、これらアレイ基板ＡＲと対向基板ＣＴとの間に形成されたギャップに封入された液晶分子を含む液晶組成物で構成さていれる。
【００２０】
上述したような構成の液晶表示パネルＬＰＮにおいて、アレイ基板ＡＲの外面や対向基板ＣＴの外面には、必要に応じて、液晶表示パネルＬＰＮに入射する光の偏光状態を制御する偏光板や、位相差板などが配置されてもよい。また、カラー液晶表示装置を構成するために、アレイ基板の内面または対向基板の内面に、例えば赤色、青色、緑色といった３原色にそれぞれ着色された着色樹脂によって形成されたカラーフィルタ層を配置しても良い。
【００２１】
ところで、アレイ基板ＡＲは、配線エリアＷＰの周辺に各種駆動回路を設けるための駆動回路エリアＤＣＴを備えている。駆動回路エリアＤＣＴは、接続エリアＣＡを含んでいる。この接続エリアＣＡは、外部機器と接続するための複数の接続パッドが配線の配列方向に沿って並んだパッド群を有している。
【００２２】
この実施の形態では、配線とは、走査線Ｙ（Ｙ１〜Ｙｎ）や、信号線Ｘ（Ｘ１〜Ｘｍ）などの外部機器との接続を必要とする各種配線が対応する。これら配線の配列方向とは、配線の延在方向に交差する方向であり、例えば、走査線Ｙの場合にはその延在方向とは直交する列方向に相当し、信号線Ｘの場合にはその延在する方向とは直交する行方向に相当する。
【００２３】
また、この実施の形態では、外部機器とは、アレイ基板ＡＲ上に形成された配線に対して各種信号を供給するものであり、例えば、走査線Ｙ（Ｙ１〜Ｙｎ）のそれぞれに走査信号を供給するための走査線ドライバとして機能する駆動ＩＣチップや、信号線Ｘ（Ｘ１〜Ｘｍ）のそれぞれに映像信号を供給するための信号線ドライバとして機能する駆動ＩＣチップ、あるいは、走査線ドライバや信号線ドライバを制御するコントローラとして機能する駆動ＩＣチップなどが対応する。また、外部機器としては、走査線ドライバ、信号線ドライバ、コントローラなどの一部の機能を外部回路基板に搭載した際に、外部回路基板とアレイ基板とを接続するためのフレキシブル配線基板であっても良い。
【００２４】
ここで述べた走査線ドライバは、例えば、シフトレジスタやバッファ回路などによって構成され、コントローラによる制御に基づいてｎ本の走査線Ｙに順次走査信号（駆動信号）を供給するものである。また、信号線ドライバは、シフトレジスタ、レベルシフタ、アナログスイッチなどによって構成され、コントローラによる制御に基づいて各行の薄膜トランジスタＳＷが走査信号によってオンする毎にｍ本の信号線Ｘに映像信号（駆動信号）を供給するものである。
【００２５】
図２に示すように、アレイ基板ＡＲは、アレイ基板ＡＲを構成する石英やガラスなどの絶縁基板上または基板上に配置された絶縁膜上に、配線エリアＷＰ、及び、接続エリアＣＡを備えている。
【００２６】
配線エリアＷＰは、所定の配列方向Ａに沿って配列された複数の配線Ｗ１、Ｗ２…を有している。各配線Ｗ１、Ｗ２…は、それぞれの接続エリアＣＡ側に端部Ｔ１、Ｔ２…を有している。
【００２７】
接続エリアＣＡは、配線エリアＷＰより小さな面積に設けられている。すなわち、接続エリアＣＡは、複数の接続パッドＰ１、Ｐ２…を有している。これらの接続パッドＰ１、Ｐ２…は、接続エリアＣＡ内において、千鳥状に配列されている。また、これらの接続パッドＰ１、Ｐ２…は、各配線Ｗ１、Ｗ２…の端部Ｔ１、Ｔ２…の数と同数、もしくはそれ以上の数だけ用意されている。しかも、これらの接続パッドＰ１、Ｐ２…は、接続エリアＣＡ内において、端部Ｔ１、Ｔ２…の配列方向Ａに沿ったピッチよりも小さなピッチで配置されている。
【００２８】
図２に示した例では、接続エリアＣＡは、複数の接続パッドＰが配線Ｗの配列方向Ａに沿って並んだ２つのパッド群ＰＧ１及びＰＧ２を有している。各パッド群ＰＧ１及びＰＧ２を構成する各接続パッドＰ（２ｎ）及びＰ（２ｎ−１）も、端部Ｔ１、Ｔ２…の配列方向Ａに沿ったピッチよりも小さなピッチで配置されることが望ましい。このように、接続エリアＣＡにおいて、２列以上の複数のパッド群を設けるよう接続パッドＰをレイアウトとすることにより、アレイ基板ＡＲ上の小さな面積に多数の接続パッドＰを配置することができる。
【００２９】
接続配線ＣＷ１、ＣＷ２…は、配線エリアＷＰにおける配線Ｗのそれぞれの端部Ｔと、接続エリアＣＡにおいて各配線Ｗに対応して設けられた接続パッドＰとを繋ぐものである。つまり、配線Ｗ１の端部Ｔ１は接続配線ＣＷ１を介してパッドＰ１に接続され、以下同様に、各配線Ｗ２…のそれぞれの端部Ｔ２…は、接続配線ＣＷ２…を介して対応する各々のパッドＰ２…に接続されている。
【００３０】
外部機器は、接続エリアＣＡに設けられた接続パッドＰＤのレイアウトに対応した複数の接続端子を備えており、図２に示したような千鳥状に配列された複数の接続端子に対しては、千鳥状に配列された接続端子により異方性導電膜（ＡＣＦ）を介して対応する接続パッドＰＤと接続されている。
【００３１】
上述したようなレイアウトでは、小さな面積に多数の接続パッドを配置できる反面、配線エリアＷＰから離れた列のパッド群から引き出された接続配線は、配線エリアＷＰ側の列のパッド群を避けるために配線長が長くなる傾向にある。
【００３２】
そこで、接続配線の配線長を短縮可能な最適な接続パッドの形状及びそのレイアウトの第１実施例について詳細に説明する。なお、ここでは、奇数番目の接続パッドＰ１、Ｐ３、Ｐ５…Ｐ（２ｎ−１）…が第１パッド群ＰＧ１を構成し、偶数番目の接続パッドＰ２、Ｐ４、Ｐ６…Ｐ（２ｎ）…が第２パッド群ＰＧ２を構成するものとして説明するが、奇数番目の接続パッドが第２パッド群を構成し、偶数番目の接続パッドが第１パッド群ＰＧを構成してもよいことは言うまでもない。
【００３３】
第１パッド群ＰＧ１は、接続エリアＣＡ内において配線エリアＷＰに近接した側に配置されている。また、第２パッド群ＰＧ２は、接続エリアＣＡ内において第１パッド群ＰＧ１よりも配線エリアＷＰから離れた側に配置されている。
【００３４】
配線エリアＷＰから離れた第２パッド群ＰＧ２を構成する接続パッドＰ２、Ｐ４、Ｐ（２ｎ）…は、多角形状であり、その１つの角部が配線エリアＷＰを向くように配置されている。すなわち、図２及び図３に示した例では、第２パッド群ＰＧ２を構成する接続パッドＰ（２ｎ）は、四角形状であり、４つの角部Ｃ２１、Ｃ２２、Ｃ２３、Ｃ２４を有している。そして、これらの接続パッドＰ（２ｎ）は、その１つの角部Ｃ２１が他の残りの角部Ｃ２２、Ｃ２３、Ｃ２４よりも配線エリアＷＰに最も近接するように配置されている。これにより、配線エリアＷＰから離れた第２パッド群ＰＧ２であっても、各接続パッドＰを配線エリアＷＰにより近づけたレイアウトを実現することができる。
【００３５】
また、第２パッド群ＰＧ２を構成する接続パッドＰ（２ｎ）は、配線エリアＷＰを向く角部Ｃ２１から引き出された接続配線ＣＷによって配線Ｗの端部Ｔと接続されている。つまり、接続パッドＰ（２ｎ）の最も配線エリアＷＰに近接した角部Ｃ２１から接続配線ＣＷを引き出すことにより、接続配線ＣＷを不所望に引き回す必要がなくなり、接続配線ＣＷの配線長を短縮することが可能となる。
【００３６】
一方で、配線エリアＷＰに近接した第１パッド群ＰＧ１を構成する接続パッドＰ（２ｎ−１）も、多角形状であり、その１つの角部が配線エリアＷＰを向くように配置されることが望ましい。すなわち、図２及び図３に示した例では、第１パッド群ＰＧ１を構成する接続パッドＰ（２ｎ−１）は、四角形状であり、４つの角部Ｃ１１、Ｃ１２、Ｃ１３、Ｃ１４を有している。そして、これらの接続パッドＰ（２ｎ−１）は、その１つの角部Ｃ１１が他の残りの角部Ｃ１２、Ｃ１３、Ｃ１４よりも配線エリアＷＰに最も近接するように配置されている。これにより、接続パッドＰ（２ｎ−１）を配線エリアＷＰにより近づけたレイアウトを実現することができる。
【００３７】
また、第１パッド群ＰＧ１を構成する接続パッドＰ（２ｎ−１）は、配線エリアＷＰを向く角部Ｃ１１から引き出された接続配線ＣＷによって配線Ｗの端部Ｔと接続されている。つまり、接続パッドＰ（２ｎ−１）の最も配線エリアＷＰに近接した角部Ｃ１１から接続配線ＣＷを引き出すことにより、接続配線ＣＷを不所望に引き回す必要がなくなり、接続配線ＣＷの配線長を短縮することが可能となる。
【００３８】
さらに、このようなレイアウトにより、接続パッドＰ（２ｎ）から引き出される接続配線ＣＷの配線長をより短縮することが可能となる。すなわち、接続パッドＰ（２ｎ−１）の最も配線エリアＷＰ側の角部Ｃ１１を結ぶ境界Ｂ１と、接続パッドＰ（２ｎ）の最も配線エリアＷＰ側の角部Ｃ２１を結ぶ境界Ｂ２との間には、接続パッドＰ（２ｎ）から引き出された接続配線ＣＷを斜め方向に引き回すのに十分なエリアが確保されている。
【００３９】
このため、接続パッドＰ（２ｎ）からの接続配線ＣＷを、境界Ｂ１より配線エリアＷＰ側まで配線の延在する配線方向Ｂに沿って直線的に引き出す必要がない。つまり、境界Ｂ２より配線エリアＷＰ側では、接続パッドＰ（２ｎ）からの接続配線ＣＷは、接続パッドＰ（２ｎ−１）の斜め方向に延びた辺（接続対象の配線端部Ｔに向かう方向の延びた辺）に沿って引き回せばよい。
【００４０】
図３に示した例では、接続パッドＰ２からの接続配線ＣＷ２は、接続パッドＰ１の斜め方向に延びた辺Ｌ１１に沿って引き回せばよい。したがって、接続パッドＰ（２ｎ）から配線の延在する配線方向Ｂに沿って直線的に引き出される接続配線ＣＷの配線長をより短縮することが可能となる。
【００４１】
第１パッド群ＰＧ１を構成する接続パッドＰ（２ｎ−１）と、第２パッド群ＰＧ２を構成する接続パッド（２ｎ）とは、同一形状であることが望ましい。このような形状であれば、接続パッドＰ（２ｎ−１）及び接続パッドＰ（２ｎ）の１つの角部を配線エリアＷＰに最も近接した状態で、それぞれの接続パッドＰ（２ｎ−１）及びＰ（２ｎ）を最密配置することが可能となる。つまり、アレイ基板ＡＲ上の小さな面積に多数の接続パッドＰを配置することができる。
【００４２】
ここで、最密配置とは、第２パッド群ＰＧ２１を構成する接続パッドＰ（２ｎ）の配線エリアＷＰを向く角部が、第１パッド群ＰＧ１を構成する隣接する２つの接続パッドＰ（２ｎ−１）のそれぞれの１辺の間に配置された状態をいう。具体的には、図３に示すように、接続パッドＰ２の最も配線エリアＷＰに近接した角部Ｃ２１は、接続パッドＰ１の接続パッドＰ２に対向する１辺Ｌ１２と、接続パッドＰ１に隣接する接続パッドＰ３の接続パッドＰ２に対向する１辺Ｌ３１と、の間に配置されている。
【００４３】
また、最密配置を実現するためには、第２パッド群ＰＧ２を構成する接続パッドＰ（２ｎ）の配線エリアＷＰを向く角部を規定する２辺が、第１パッド群ＰＧ１を構成する隣接する２つの接続パッドのそれぞれの１辺と平行に配置された状態であることが不可欠である。具体的には、図３に示すように、接続パッドＰ２の最も配線エリアＷＰに近接した角部Ｃ２１を規定する２辺Ｌ２１及びＬ２２が、接続パッドＰ１の１辺Ｌ１２と、接続パッドＰ１に隣接する接続パッドＰ３の１辺Ｌ３１と、それぞれ平行に配置されている。
【００４４】
上述したように、図２及び図３に示したような接続パッドの形状例及びそのレイアウト例によれば、基板上の小さな面積に多数の接続パッドを最密配置することが可能となる。また、接続パッドから配線方向に直線的に引き出される接続配線の配線長を短縮することができる。
【００４５】
このため、基板サイズ及びその額縁サイズを縮小することができる。また、接続配線の配線抵抗を低減することができ、外部機器から供給された信号の劣化を防止することができる。
【００４６】
また、上述したようなアレイ基板を搭載した表示装置によれば、表示装置の額縁サイズを小さくすることができ、小型の表示装置を提供することができる。また、配線抵抗を低減することができ、外部機器から供給された各種信号の劣化を防止することができるので、表示品位の劣化を防止することができる。
【００４７】
次に、接続配線の配線長を短縮可能な最適な接続パッドの他の形状例について説明する。なお、ここでは、第１パッド群ＰＧ１を構成する接続パッドＰ（２ｎ−１）及び第２パッド群ＰＧ２を構成する接続パッドＰ（２ｎ）は、先に説明した第１実施例と同様に、それぞれ配線の配列方向Ａに沿って並んでおり、互いに千鳥状に配列されている。第１実施例と異なるのは、接続パッドＰ（２ｎ−１）及び接続パッドＰ（２ｎ）の形状である。
【００４８】
すなわち、第２実施例では、図４に示すように、配線エリアＷＰから離れた第２パッド群ＰＧ２を構成する接続パッドＰ２、Ｐ４、Ｐ（２ｎ）…は、多角形状であり、その１つの角部が配線エリアＷＰを向くように配置されている。図４に示した例では、第２パッド群ＰＧ２を構成する接続パッドＰ（２ｎ）は、六角形状であり、６つの角部Ｃ２１、Ｃ２２、Ｃ２３、Ｃ２４、Ｃ２５、Ｃ２６を有している。そして、これらの接続パッドＰ（２ｎ）は、その１つの角部Ｃ２１が他の残りの角部Ｃ２２乃至Ｃ２６よりも配線エリアＷＰに最も近接するように配置されている。これにより、配線エリアＷＰから離れた第２パッド群ＰＧ２であっても、各接続パッドＰを配線エリアＷＰにより近づけたレイアウトを実現することができる。
【００４９】
また、第２パッド群ＰＧ２を構成する接続パッドＰ（２ｎ）は、配線エリアＷＰを向く角部Ｃ２１から引き出された接続配線ＣＷによって配線Ｗの端部Ｔと接続されたことにより、接続配線ＣＷを不所望に引き回す必要がなくなり、接続配線ＣＷの配線長を短縮することが可能となる。
【００５０】
一方で、配線エリアＷＰに近接した第１パッド群ＰＧ１を構成する接続パッドＰ（２ｎ−１）も、多角形状であり、その１つの角部が配線エリアＷＰを向くように配置されることが望ましい。すなわち、図４に示した例では、第１パッド群ＰＧ１を構成する接続パッドＰ（２ｎ−１）は、六角形状であり、６つの角部Ｃ１１、Ｃ１２、Ｃ１３、Ｃ１４、Ｃ１５、Ｃ１６を有している。そして、これらの接続パッドＰ（２ｎ−１）は、その１つの角部Ｃ１１が他の残りの角部Ｃ１２乃至Ｃ１６よりも配線エリアＷＰに最も近接するように配置されている。これにより、接続パッドＰ（２ｎ−１）を配線エリアＷＰにより近づけたレイアウトを実現することができる。
【００５１】
また、第１パッド群ＰＧ１を構成する接続パッドＰ（２ｎ−１）は、配線エリアＷＰを向く角部Ｃ１１から引き出された接続配線ＣＷによって配線Ｗの端部Ｔと接続されたことにより、接続配線ＣＷを不所望に引き回す必要がなくなり、接続配線ＣＷの配線長を短縮することが可能となる。
【００５２】
さらに、このようなレイアウトにより、接続パッドＰ（２ｎ）から引き出される接続配線ＣＷの配線長をより短縮することが可能となる。すなわち、接続パッドＰ（２ｎ−１）の最も配線エリアＷＰ側の角部Ｃ１１を結ぶ境界Ｂ１と、接続パッドＰ（２ｎ）の最も配線エリアＷＰ側の角部Ｃ２１を結ぶ境界Ｂ２との間には、接続パッドＰ（２ｎ）から引き出された接続配線ＣＷを斜め方向に引き回すのに十分なエリアが確保されている。
【００５３】
図４に示した例では、接続パッドＰ２からの接続配線ＣＷ２は、接続パッドＰ１の斜め方向に延びた辺Ｌ１１に沿って引き回せばよい。したがって、接続パッドＰ（２ｎ）から配線の延在する配線方向Ｂに沿って直線的に引き出される接続配線ＣＷの配線長をより短縮することが可能となる。
【００５４】
第１パッド群ＰＧ１を構成する接続パッドＰ（２ｎ−１）と、第２パッド群ＰＧ２を構成する接続パッド（２ｎ）とは、同一形状であることが望ましい。このような形状であれば、接続パッドＰ（２ｎ−１）及び接続パッドＰ（２ｎ）の１つの角部を配線エリアＷＰに最も近接した状態で、それぞれの接続パッドＰ（２ｎ−１）及びＰ（２ｎ）を最密配置することが可能となる。つまり、アレイ基板ＡＲ上の小さな面積に多数の接続パッドＰを配置することができる。
【００５５】
ここで、最密配置とは、第２パッド群ＰＧ２１を構成する接続パッドＰ（２ｎ）の配線エリアＷＰを向く角部が、第１パッド群ＰＧ１を構成する隣接する２つの接続パッドＰ（２ｎ−１）のそれぞれの１辺の間に配置された状態をいう。具体的には、図４に示すように、接続パッドＰ２の最も配線エリアＷＰに近接した角部Ｃ２１は、接続パッドＰ１の接続パッドＰ２に対向する１辺Ｌ１２と、接続パッドＰ１に隣接する接続パッドＰ３の接続パッドＰ２に対向する１辺Ｌ３１と、の間に配置されている。
【００５６】
また、最密配置を実現するためには、第２パッド群ＰＧ２を構成する接続パッドＰ（２ｎ）の配線エリアＷＰを向く角部を規定する２辺が、第１パッド群ＰＧ１を構成する隣接する２つの接続パッドのそれぞれの１辺と平行に配置された状態であることが不可欠である。具体的には、図４に示すように、接続パッドＰ２の最も配線エリアＷＰに近接した角部Ｃ２１を規定する２辺Ｌ２１及びＬ２２が、接続パッドＰ１の１辺Ｌ１２と、接続パッドＰ１に隣接する接続パッドＰ３の１辺Ｌ３１と、それぞれ平行に配置されている。
【００５７】
したがって、上述したような第２実施例においても、先に説明した第１実施例と同様の効果が得られる。
【００５８】
また、第３実施例では、図５に示すように、配線エリアＷＰから離れた第２パッド群ＰＧ２を構成する接続パッドＰ２、Ｐ４、Ｐ（２ｎ）…は、多角形状であり、その１つの角部が配線エリアＷＰを向くように配置されている。図５に示した例では、第２パッド群ＰＧ２を構成する接続パッドＰ（２ｎ）は、五角形状であり、５つの角部Ｃ２１、Ｃ２２、Ｃ２３、Ｃ２４、Ｃ２５を有している。そして、これらの接続パッドＰ（２ｎ）は、その１つの角部Ｃ２１が他の残りの角部Ｃ２２乃至Ｃ２５よりも配線エリアＷＰに最も近接するように配置されている。これにより、配線エリアＷＰから離れた第２パッド群ＰＧ２であっても、各接続パッドＰを配線エリアＷＰにより近づけたレイアウトを実現することができる。
【００５９】
また、第２パッド群ＰＧ２を構成する接続パッドＰ（２ｎ）は、配線エリアＷＰを向く角部Ｃ２１から引き出された接続配線ＣＷによって配線Ｗの端部Ｔと接続されたことにより、接続配線ＣＷを不所望に引き回す必要がなくなり、接続配線ＣＷの配線長を短縮することが可能となる。
【００６０】
一方で、配線エリアＷＰに近接した第１パッド群ＰＧ１を構成する接続パッドＰ（２ｎ−１）も、多角形状であり、その１つの角部が配線エリアＷＰを向くように配置されることが望ましい。すなわち、図５に示した例では、第１パッド群ＰＧ１を構成する接続パッドＰ（２ｎ−１）は、五角形状であり、５つの角部Ｃ１１、Ｃ１２、Ｃ１３、Ｃ１４、Ｃ１５を有している。そして、これらの接続パッドＰ（２ｎ−１）は、その１つの角部Ｃ１１が他の残りの角部Ｃ１２乃至Ｃ１５よりも配線エリアＷＰに最も近接するように配置されている。これにより、接続パッドＰ（２ｎ−１）を配線エリアＷＰにより近づけたレイアウトを実現することができる。
【００６１】
また、第１パッド群ＰＧ１を構成する接続パッドＰ（２ｎ−１）は、配線エリアＷＰを向く角部Ｃ１１から引き出された接続配線ＣＷによって配線Ｗの端部Ｔと接続されたことにより、接続配線ＣＷを不所望に引き回す必要がなくなり、接続配線ＣＷの配線長を短縮することが可能となる。
【００６２】
さらに、このようなレイアウトにより、接続パッドＰ（２ｎ）から引き出される接続配線ＣＷの配線長をより短縮することが可能となる。すなわち、接続パッドＰ（２ｎ−１）の最も配線エリアＷＰ側の角部Ｃ１１を結ぶ境界Ｂ１と、接続パッドＰ（２ｎ）の最も配線エリアＷＰ側の角部Ｃ２１を結ぶ境界Ｂ２との間には、接続パッドＰ（２ｎ）から引き出された接続配線ＣＷを斜め方向に引き回すのに十分なエリアが確保されている。
【００６３】
図５に示した例では、接続パッドＰ２からの接続配線ＣＷ２は、接続パッドＰ１の斜め方向に延びた辺Ｌ１１に沿って引き回せばよい。したがって、接続パッドＰ（２ｎ）から配線の延在する配線方向Ｂに沿って直線的に引き出される接続配線ＣＷの配線長をより短縮することが可能となる。
【００６４】
第１パッド群ＰＧ１を構成する接続パッドＰ（２ｎ−１）と、第２パッド群ＰＧ２を構成する接続パッド（２ｎ）とは、同一形状であることが望ましい。このような形状であれば、接続パッドＰ（２ｎ−１）及び接続パッドＰ（２ｎ）の１つの角部を配線エリアＷＰに最も近接した状態で、それぞれの接続パッドＰ（２ｎ−１）及びＰ（２ｎ）を単位面積辺り比較的高密度に配置することが可能となる。つまり、アレイ基板ＡＲ上の小さな面積に多数の接続パッドＰを配置することができる。
【００６５】
ここでは、第２パッド群ＰＧ２１を構成する接続パッドＰ（２ｎ）の配線エリアＷＰを向く角部が、第１パッド群ＰＧ１を構成する隣接する２つの接続パッドＰ（２ｎ−１）のそれぞれの１辺の間に配置された状態をいう。具体的には、図５に示すように、接続パッドＰ２の最も配線エリアＷＰに近接した角部Ｃ２１は、接続パッドＰ１の接続パッドＰ２に対向する１辺Ｌ１２と、接続パッドＰ１に隣接する接続パッドＰ３の接続パッドＰ２に対向する１辺Ｌ３１と、の間に配置されている。
【００６６】
したがって、上述したような第３実施例においても、先に説明した第１実施例と同様の効果が得られる。
【００６７】
第４実施例では、図６に示すように、配線エリアＷＰから離れた第２パッド群ＰＧ２を構成する接続パッドＰ２、Ｐ４、Ｐ（２ｎ）…は、多角形状であり、その１つの角部が配線エリアＷＰを向くように配置されている。すなわち、図６に示した例では、第２パッド群ＰＧ２を構成する接続パッドＰ（２ｎ）は、三角形状であり、３つの角部Ｃ２１、Ｃ２２、Ｃ２３を有している。そして、これらの接続パッドＰ（２ｎ）は、その１つの角部Ｃ２１が他の残りの角部Ｃ２２及びＣ２３よりも配線エリアＷＰに最も近接するように配置されている。これにより、配線エリアＷＰから離れた第２パッド群ＰＧ２であっても、各接続パッドＰを配線エリアＷＰにより近づけたレイアウトを実現することができる。
【００６８】
また、第２パッド群ＰＧ２を構成する接続パッドＰ（２ｎ）は、配線エリアＷＰを向く角部Ｃ２１から引き出された接続配線ＣＷによって配線Ｗの端部Ｔと接続されたことにより、接続配線ＣＷを不所望に引き回す必要がなくなり、接続配線ＣＷの配線長を短縮することが可能となる。
【００６９】
一方で、配線エリアＷＰに近接した第１パッド群ＰＧ１を構成する接続パッドＰ（２ｎ−１）も、多角形状であり、第２パッド群ＰＧ２を構成する接続パッド（２ｎ）と同一形状であることが望ましい。このような形状であれば、接続パッドＰ（２ｎ）の１つの角部を配線エリアＷＰに最も近接した状態で、それぞれの接続パッドＰ（２ｎ−１）及びＰ（２ｎ）を最密配置することが可能となる。つまり、アレイ基板ＡＲ上の小さな面積に多数の接続パッドＰを配置することができる。
【００７０】
すなわち、図６に示した例では、第１パッド群ＰＧ１を構成する接続パッドＰ（２ｎ−１）は、三角形状であり、３つの角部Ｃ１１、Ｃ１２、Ｃ１３を有している。そして、これらの接続パッドＰ（２ｎ−１）は、その１つの角部Ｃ１１が他の残りの角部Ｃ１２及びＣ１３よりも第２パッド群ＰＧ２に最も近接するように配置されている。
【００７１】
ここで、最密配置とは、第２パッド群ＰＧ２１を構成する接続パッドＰ（２ｎ）の配線エリアＷＰを向く角部が、第１パッド群ＰＧ１を構成する隣接する２つの接続パッドＰ（２ｎ−１）のそれぞれの１辺の間に配置された状態をいう。具体的には、図６に示すように、接続パッドＰ２の最も配線エリアＷＰに近接した角部Ｃ２１は、接続パッドＰ１の接続パッドＰ２に対向する１辺Ｌ１２と、接続パッドＰ１に隣接する接続パッドＰ３の接続パッドＰ２に対向する１辺Ｌ３１と、の間に配置されている。
【００７２】
また、最密配置を実現するためには、第２パッド群ＰＧ２を構成する接続パッドＰ（２ｎ）の配線エリアＷＰを向く角部を規定する２辺が、第１パッド群ＰＧ１を構成する隣接する２つの接続パッドのそれぞれの１辺と平行に配置された状態であることが不可欠である。具体的には、図６に示すように、接続パッドＰ２の最も配線エリアＷＰに近接した角部Ｃ２１を規定する２辺Ｌ２１及びＬ２２が、接続パッドＰ１の１辺Ｌ１２と、接続パッドＰ１に隣接する接続パッドＰ３の１辺Ｌ３１と、それぞれ平行に配置されている。
【００７３】
つまり、上述した第１乃至第３実施例では、第１パッド群ＰＧ１の接続パッドＰ（２ｎ−１）と、第２パッド群ＰＧ２の接続パッドＰ（２ｎ）とを同一形状とした時に、接続パッドＰ（２ｎ）は、接続パッドＰ（２ｎ−１）を斜め方向に平行移動した位置に配置していたが、この第４実施例では、接続パッドＰ（２ｎ−１）と接続パッドＰ（２ｎ）とを同一の三角形状とした時に、接続パッドＰ（２ｎ）は、接続パッドＰ（２ｎ−１）を配列方向Ａに沿って延びる線について線対称に移動した位置に配置されている。
【００７４】
これにより、接続パッドＰ（２ｎ−１）及び接続パッドＰ（２ｎ）を最密配置した状態で、ともに配線エリアＷＰにより近づけたレイアウトを実現することができ、接続配線の配線長をともに短縮することができる。
【００７５】
したがって、上述したような第４実施例においても、先に説明した第１実施例と同様の効果が得られる。
【００７６】
第５実施例では、図７に示すように、配線エリアＷＰから離れた第２パッド群ＰＧ２を構成する接続パッドＰ２、Ｐ４、Ｐ（２ｎ）…は、多角形状であり、その１つの角部が配線エリアＷＰを向くように配置されている。図７に示した例では、第２パッド群ＰＧ２を構成する接続パッドＰ（２ｎ）は、四角形状であり、４つの角部Ｃ２１、Ｃ２２、Ｃ２３、Ｃ２４を有している。そして、これらの接続パッドＰ（２ｎ）は、その１つの角部Ｃ２１が他の残りの角部Ｃ２２乃至Ｃ２４よりも配線エリアＷＰに最も近接するように配置されている。これにより、配線エリアＷＰから離れた第２パッド群ＰＧ２であっても、各接続パッドＰを配線エリアＷＰにより近づけたレイアウトを実現することができる。
【００７７】
また、第２パッド群ＰＧ２を構成する接続パッドＰ（２ｎ）は、配線エリアＷＰを向く角部Ｃ２１から引き出された接続配線ＣＷによって配線Ｗの端部Ｔと接続されたことにより、接続配線ＣＷを不所望に引き回す必要がなくなり、接続配線ＣＷの配線長を短縮することが可能となる。
【００７８】
一方で、配線エリアＷＰに近接した第１パッド群ＰＧ１を構成する接続パッドＰ（２ｎ−１）は、円形状である。つまり、この第５実施例では、第１パッド群ＰＧ１を構成する接続パッドＰ（２ｎ−１）と、第２パッド群ＰＧ２を構成する接続パッド（２ｎ）とは、同一形状である必要はない。このような形状の組み合せであっても、接続パッドＰ（２ｎ）の１つの角部を配線エリアＷＰに最も近接した状態で、それぞれの接続パッドＰ（２ｎ−１）及びＰ（２ｎ）を単位面積辺り比較的高密度に配置することが可能となる。つまり、アレイ基板ＡＲ上の小さな面積に多数の接続パッドＰを配置することができる。
【００７９】
したがって、上述したような第５実施例においても、先に説明した第１実施例と同様の効果が得られる。
【００８０】
以上説明したように、この発明は、複数の配線が配列された配線エリアと、外部機器と接続するための複数の接続パッドが配線の配列方向に沿って並んだ少なくとも２列の第１パッド群及び第２パッド群を有する接続エリアとを備えた配線基板において、配線エリアから離れた第２パッド群を構成する接続パッドが多角形状であり、しかも、その１つの角部が配線エリアを向くように配置されたことを特徴とするものである。
【００８１】
配線エリアに近接した接続パッドは、特にその形状及びレイアウトを限定する必要はないが、できるだけ接続配線の配線長を短縮可能なもととすることが望ましい。すなわち、配線エリアに近接した接続パッドと配線エリアから離れた接続パッドとは、必ずしも同一形状とする必要はなく、配線エリアから離れた接続パッドは、多角形状とする必要もない。また、配線エリアに近接した接続パッドは、配線エリアから離れた接続パッドと同一形状であっても、配線エリアから離れた接続パッドを斜め方向に平行移動したような位置に配置する必要もない。
【００８２】
つまり、配線エリアから離れた接続パッドの形状及びその配置（向き）を規定することが重要であり、できるだけ配線エリアに近接したレイアウトとすることで、配線長を短縮することができる。このため、基板サイズ及びその額縁サイズを縮小することが可能となる。また、配線抵抗を低減することができ、外部機器から供給される各種信号の劣化を抑制することが可能となる。
【００８３】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８４】
【図１】図１は、この発明の一実施の形態に係る液晶表示装置の構成を概略的に示す図である。
【図２】図２は、図１に示した液晶表示装置に搭載可能なアレイ基板の配線エリア及び接続エリアの構成を概略的に示す平面図である。
【図３】図３は、第１実施例に係る接続パッドの形状及びレイアウトを示す図である。
【図４】図４は、第２実施例に係る接続パッドの形状及びレイアウトを示す図である。
【図５】図５は、第３実施例に係る接続パッドの形状及びレイアウトを示す図である。
【図６】図６は、第４実施例に係る接続パッドの形状及びレイアウトを示す図である。
【図７】図７は、第５実施例に係る接続パッドの形状及びレイアウトを示す図である。
【符号の説明】
【００８５】
ＬＰＮ…液晶表示パネル、ＡＲ…アレイ基板、ＰＸ…画素、ＷＰ…配線エリア、ＣＡ…接続エリア、Ｐ…接続パッド、ＰＧ…パッド群、Ｗ…配線、Ｔ…配線端部、ＣＷ…接続配線
【図１】
2005309201.tif 000003
【図２】
2005309201.tif 000004
【図３】
2005309201.tif 000005
【図４】
2005309201.tif 000006
【図５】
2005309201.tif 000007
【図６】
2005309201.tif 000008
【図７】
2005309201.tif 000009